(57)【特許請求の範囲】
【請求項１】
ドア端と対向する建物等の固定部側に設けた凹所に嵌入されて取り付けられるラッチ受ケースと、該ケース内に横方向に移動可能に嵌装されるラッチ嵌入凹部を備えた調節ボックスと、ラッチ嵌入窓を有するラッチ受カバーと、前記ボックスを横方向に移動調節させる調整手段を備えているラッチ受装置において、
前記ボックスの移動調整手段が、ラッチ受ケース凹部底壁にプレス加工により一体成形された、ケース内側に向けて所定のピッチで突出するラック歯列と、該ラック歯列と所定の間隔でかつ平行に設けたピニオンガイドと、前記調節ボックスの凹部底壁に形成した縦方向に延びる長孔と、該長孔に縦方向移動及び回動可能に嵌装されかつ前記ケースとボックスとの間にあって前記ラック歯列と噛み合いしかも歯先が前記ピニオンガイドに接触するように配したボックス駆動ピニオンとにより構成されていることを特徴とするラッチ受装置。
【請求項２】
前記ラック歯列がボックス横側壁面に対して斜めに設けられ、前記ボックスの長孔がボックス横側壁面と互いに平行とされていることを特徴とする請求項１に記載のラッチ受装置。
【請求項３】
前記ラック歯列がボックス横側壁面と平行で、前記ボックスの長孔がボックス横側壁面に対して傾斜されていることを特徴とする請求項１記載のラッチ受装置。
【請求項４】
前記ピニオンにはラック歯列に噛み合う歯部と、前記ボックスの長孔に摺動可能に嵌装されるガイド部と、ピニオン回動操作用工具嵌合孔とが、プレス加工により一体的に形成されていることを特徴とする請求項１、２又は３に記載のラッチ受装置。
【発明の詳細な説明】
【０００１】
【発明の属する技術分野】
本発明は、ドア端と対向する建物、建具等の固定部側に設けた凹所に嵌入されて取り付けられるラッチ受装置に関するものである。
【０００２】
【従来の技術】
一般に、ドアの木口面に設けられたラッチ錠のラッチを係止するために、出入口のドア枠又は柱に形成された堀込穴にラッチ受装置（金具）が埋設される。
従来、この種ラッチ受装置として、特開平９−７２１３３号公報に開示されたものがある。このラッチ受装置は、ドア端と対向する建物等の固定部側に設けた凹所に嵌入されて取り付けられるラッチ受ケースと、該ケース内に横方向に移動可能に嵌装されるラッチ嵌入凹部を備えた調節ボックスと、ラッチ嵌入窓を有するラッチ受カバーと、前記ケースとボックスの底壁間に嵌装された固定板と、前記ボックスを横方向に移動調節させるピニオンとを備えている。
【０００３】
そして、前記固定板には、一方の内側縁にラツクを形成した斜め方向に延びる長孔が設けられ、この長孔内に前記ラックに噛み合う前記ピニオンが配され、かつピニオンの中心に突設させた操作突起が、前記ボックスの底壁に形成した縦方向に延びる長孔に摺動可能に嵌装されており、前記操作突起を回すことによって、ピニオンが前記ボックスの長孔に沿って上下動しながら前記ボックスを横方向へ移動させ、ラッチの係止位置を横方向に調整可能としてある。
【０００４】
【発明が解決しようとする課題】
ところで、上記従来技術では、ラッチ受ケースと調節ボックスの両底壁間に前記固定板が不可欠で部品点数が多くかつ、固定板の加工が困難であるうえ、該固定板の長孔内にゴミが入り前記ラックにゴミが詰まってピニオンの動きが悪くなったり、或いは動かなくなる等の問題がある。
本発明は、上述のような実情に鑑みてなされたもので、その目的とするところは、部品点数の低減と加工の容易化によるコスト低下、及び装置内に入ったゴミの排出の容易化を図ることのできるラッチ受装置を提供するにある。
【０００５】
【課題を解決するための手段】
本発明では、上記目的を達成するために、次の技術的手段を講じている。即ち、本発明は、ドア端と対向する建物等の固定部側に設けた凹所に嵌入されて取り付けられるラッチ受ケースと、該ケース内に横方向に移動可能に嵌装されるラッチ嵌入凹部を備えた調節ボックスと、ラッチ嵌入窓を有するラッチ受カバーと、前記ボックスを横方向に移動調節させる調整手段を備えているラッチ受装置において、前記ボックス移動調整手段が、ラッチ受ケース凹部底壁にプレス加工により一体成形された、ケース内側に向けて所定のピッチで突出するラック歯列と、該ラック歯列と所定の間隔でかつ平行に設けたピニオンガイドと、前記調節ボックスの凹部底壁に形成した縦方向に延びる長孔と、該長孔に縦方向移動及び回動可能に嵌装されかつ前記ケース及びボックス間にあって前記ラック歯列と噛み合いしかも歯先が前記ピニオンガイドに接触するように配したボックス駆動ピニオンとにより構成されている点に特徴がある。
【０００６】
この場合、前記ラック歯列又は前記長孔のいずれか一方が、前記ケースの横側壁に対して傾斜せられている。したがって、ボックス駆動ピニオンを左右任意の方向に回すことにより、このピニオンは前記ケースのラック歯列と噛み合っているので、前記ガイドに沿って縦方向に移動し、該ピニオンが前記調節ボックスを横方向に移動させて、ラッチの係止位置を調整するようになっている。
この発明によれば、装置構成部品が、ラッチ受ケースと、調節ボックスと、ボックス駆動ピニオン及びラッチ受カバーから成っているので、部品点数が少なく、かつ前記ラック歯列及びガイドをプレス成形により形成できるので、加工が簡単で製造コストを低減でき、前記ケースとボックスの間に入ったゴミの排出が容易である。
【０００７】
本発明に係るラッチ受装置は、前記ラック歯列がボックス横側壁面に対して斜めに設けられ、前記ボックスの長孔がボックス横側壁面と互いに平行とされている構成とするか、または、前記ラック歯列がボックス横側壁面と平行で、前記ボックスの長孔がボックス横側壁面に対して傾斜されている構成とすることができる。
また、本発明に係るラッチ受装置は、前記ピニオンにはラック歯列に噛み合  う歯部と、前記ボックスの長孔に摺動可能に嵌装されるガイド部と、ピニオン回動操作用工具嵌合孔とが、プレス加工により一体的に形成されている構成とすることができる。この場合、ボックス駆動ピニオンの構造が非常に簡単となり、かつ加工が容易で大幅にコスト低下を図ることが可能である。
【０００８】
なお、前記ラッチ受ケースと調節ボックスとは、装置組立後にカシメ固定或いは点溶接等の固定手段により一体化することができる。
【０００９】
【発明の実施の形態】
以下、本発明の実施の形態を図面に基づいて説明する。
図１乃至図６は、本発明に係るラッチ受装置１の第一実施形態を示している。このラッチ受装置１は、図１に示すように、ラッチ受ケース２と、調節ボックス３と、ラッチ受カバー４及びボックス駆動ピニオン５の４部品により構成されている。ラッチ受ケース２は、図３に示しているように、ドア６の端６Ａと対向する建物等の固定部側７に設けた凹所８（堀込み穴ともいう）に嵌入されてビス９により取り付けられるもので、前記凹所８に嵌まる方形箱部１０と、該箱部１０の開口側端縁に対称形に形成された取付耳片１１とを備え、前記方形箱部１０内がボックス収容凹部１２とされており、金属板をプレス加工することにより成形される。
【００１０】
そして、前記ケース２の方形箱部底壁即ち凹部底壁１０Ａの内面には、ケース横側壁１０Ｂに対して傾斜（約１５度）し縦方向に延びる線上に、前記ピニオン５のピッチと同一のピッチで該ピニオン５に噛合するピン状歯からなるラック歯列１３即ちピンラックが突設されており、このラック歯列１３に噛み合った状態で前記ピニオン５の歯先に摺動可能に接触するピニオンガイド１４が、ラック歯列１３と平行にかつ突出状に一体形成されている。また、前記取付耳片１１には、それぞれ前記ネジ９の挿通穴１５が設けられている。
【００１１】
前記調節ボックス３は、前記ケース２の方形箱部１０内に横移動可能に嵌装されると共にラッチ嵌入凹部３Ａが形成される方形箱形で、その左右両開口端縁からそれぞれ横方向外方に延びる耳片１６，１７が設けられており、金属板をプレス加工することにより成形されている。この耳片１６，１７は、ケース箱部１０の表側開口を塞ぐもので、その一方の耳片１６が他方の耳片１７よりも横方向幅が広くせられると共に、該耳片１６の表側（ケース受カバー側）には縦方向中央部に位置してボックス位置決め用の案内突起１８が膨出状に形成されている。
【００１２】
また、調節ボックス３の底壁１９には、左右方向中央に位置してボックス横側壁２０と平行に縦方向に延びるピニオン嵌装用の長孔２１が設けられている。
前記ラッチ受カバー４は、長方形の金属板をプレス加工することにより成形したもので、前記ラッチ受ケース２の表側開口と対応したラッチ２２が挿通するラッチ嵌入窓２３が設けられると共に、縦（上下）方向両端部には前記ケース２のネジ挿通孔１５に対応する位置にネジ挿通孔２４が設けられている。また、前記ラッチ嵌入窓２３には、前記調節ボックス３の一側縁に突設された位置決め用の案内突起１８が左右方向に摺動可能に嵌合する切欠状の案内凹部２５が形成されている。
【００１３】
前記ピニオン５は、金属板をプレス加工により成形したもので、前記ラック歯列１３に噛み合う歯部２６と、前記ボックス３の長孔２１に摺動可能に嵌装される冠帽状のガイド部２７と、ガイド部２７中央に貫通した十字状のピニオン回動操作用工具嵌合孔２８とが一体的に形成されている。
上記実施形態では、前記ケース２の方形箱部１０内にボックス駆動ピニオン５をラック歯列１３に噛み合うように挿入してから、ラッチ調節ボックス３を前記箱部１０内に嵌めると共に、ボックス底壁１９に設けた長孔２１を前記駆動ピニオン５のガイド部２７と嵌合させ、ラッチ受カバー４を前記ケース２の取付耳片１１に重ねると共に、前記ボックス３の案内突起１８に案内凹部２５を嵌合させて位置決めし、前記ケース２と前記カバー４の両ネジ挿通孔１５，２４部でカシメ固定することにより、図２、図３に示すように、ラッチ受装置１を一体物としてある。
【００１４】
従って、前記ラッチ受装置１を、出入口枠の縦枠等の固定側７に取り付ける場合、固定側７に設けられた堀込穴即ち前記凹所８に前記ケース２の方形箱部１０を嵌め込み、ラッチ受カバー４のネジ挿通孔２４からビス９を挿入してねじ込み、前記ケース２及びボックス３を共に固定側７に締付固定すればよい。
そして、ドア６に取り付けた錠のラッチ２２と、前記ラッチ調節ボックス３の横側壁２０とのガタツキを調節する場合、回動操作用工具例えばドライバーの先端を、前記ピニオン５の工具嵌合孔２８に挿入し、ドライバーを回動操作することで、前記ラック歯列１３に噛み合ったピニオン５が回動しながら、前記ケース２のピニオンガイド１４に案内され、前記ボックス３の長孔２１に沿って斜め縦（上下）方向に摺動するので、前記調節ボックス３を横（左右）方向に移動させ、ラッチ２２との係止位置を任意に調整することができる（図３はボックス３の左寄り位置、図６はボックス３の右寄り位置を示している）。
【００１５】
本発明の上記実施形態によれば、部品点数の低減を図りうるばかりでなく、各部品をプレス加工により成形できるので、加工が容易でコスト低下を図ることができ、しかも、装置１内特に前記ケース２とボックス３の両底壁間に入ったゴミの排出が容易である。即ち、従来の特開平９−７２１３３号公報に記載のものでは、ラックを形成した長孔内に入ったゴミを排出することが困難であり、ピニオンの動きが悪くなり、ボックス３の調整が不能に成る恐れがあったが、本発明ではそのような恐れがなくなる。
【００１６】
特に、前記ラック歯列１３とピニオンガイド１４及びピニオン５をブレス加工により成形できるので、低コストで得ることができる。
図７，図８は、本発明の第二実施形態の要部を示し、第一実施形態と異なるところは、前記ケース２に設けられたラック歯列１３及びピニオンガイド１４が、ケース横側壁１０Ｂに対して平行になっており、前記ボックス３の底壁１９に設けられた長孔２１がボックス横側壁２０に対して傾斜（約１５度）している点であり、第一実施形態と同等の作用効果を奏する。従って、図１乃至図５と同符号を付し、詳細説明を省略する。なお、第二実施形態においても、前記ケース２と前記ボックス３等の全部品をプレス加工により成形できる。
【００１７】
本発明は、上記実施形態に限定されるものではなく、例えば、前記ピニオン５は、機械加工、型鍛造等により一体成形できるほか、歯車とネジの組合せ構造とすることもでき、また、前記ケース２とラッチ受カバー４とはカシメ等により一体化しなくてもよく、適宜設計変更が可能である。
【００１８】
【発明の効果】
以上のように、本発明に係るラッチ受装置は、調節ボックスの移動調整手段が、ラッチ受ケース凹部底にプレス加工により一体成形された、ケース内側に向けて所定のピッチで突出するラック歯列と、該ラック歯列と所定の間隔でかつ平行に設けたガイドと、前記調節ボックスの凹部底に形成した縦方向に延びる長孔と、該長孔に縦方向移動及び回動可能に嵌装されかつ前記ケースとボックスとの間にあって前記ラック歯列と噛み合いしかも歯先が前記ガイドに接触するように配したボックス駆動ピニオンとにより構成されているので、構造が簡単でかつ加工が容易であり、部品点数を少なくでき、コスト低下を図ることができる。そして、前記ケースと調節ボックスの両底壁間に入ったゴミの排出が容易で、ピニオンの回動及び縦移動を円滑にして、ラッチ係止位置調整を容易に行うことができる。
【図面の簡単な説明】
【図１】本発明の第一実施形態を示す分解斜視図である。
【図２】同実施形態の一部破断正面図である。
【図３】図２のＡ−Ａ線断面図である。
【図４】同実施形態におけるラッチ受ケースの正面図である。
【図５】図４のＢ−Ｂ線断面図である。
【図６】同実施形態におけるボックス右寄り位置を示す図２のＡ−Ａ線断面相当図である。
【図７】本発明の第二実施形態の要部（ラッチ受ケース）を示す正面図である。
【図８】同第二実施形態の要部（調節ボックス）を示す正面図である。
【符号の説明】
１    ラッチ受装置
２    ラッチ受ケース
３    調節ボックス
３Ａ  ラッチ嵌入凹部
４    ラッチ受カバー
５    ボックス駆動ピニオン
６    ドア
７    固定側
８    凹所
１０Ａ  底壁（凹部底壁）
１０Ｂ  横側壁
１２  ボックス収容凹部
１３  ラック歯列
１４  ピニオンガイド
１９  ボックス底壁
２０  ボックス横側壁
２１  長孔
２２  ラッチ
２３  ラッチ嵌入窓
２６  歯部
２７  ガイド部
２８  ピニオン回動操作用工具嵌合孔
【図１】
0003540203.tif 000002
【図２】
0003540203.tif 000003
【図３】
0003540203.tif 000004
【図４】
0003540203.tif 000005
【図５】
0003540203.tif 000006
【図６】
0003540203.tif 000007
【図７】
0003540203.tif 000008
【図８】
0003540203.tif 000009